(57)【要約】本開示は、タッチモジュール、タッチ表示基板及びタッチ表示装置を提供し、該タッチモジュールは、ベース基板と、ベース基板に設置された導電性グリッド層及び架橋パターンと、を含み、導電性グリッド層は、ベース基板のタッチ領域全体に張り巡らされる。導電性グリッド層は、複数の第１のタッチ電極及び複数の第２のタッチ電極を含み、第１のタッチ電極と前記第２のタッチ電極とは、交差して絶縁設置され、各第１のタッチ電極は、複数の接続された第１のサブ電極を含み、各第２のタッチ電極は、複数の独立した第２のサブ電極を含み、架橋パターンと前記導電性グリッド層とは、異なる層に設置され、同一の第２のタッチ電極に属する隣り合う第２のサブ電極は、架橋パターンにより接続される。
2021531538.tif 000002
【特許請求の範囲】
【請求項１】
ベース基板と、前記ベース基板に設置された導電性グリッド層及び架橋パターンと、を含み、
前記導電性グリッド層は、前記ベース基板のタッチ領域全体に張り巡らされ、前記導電性グリッド層は、複数の第１のタッチ電極及び複数の第２のタッチ電極を含み、前記第１のタッチ電極と前記第２のタッチ電極とは、交差して絶縁設置され、各前記第１のタッチ電極は、複数の接続された第１のサブ電極を含み、各前記第２のタッチ電極は、複数の独立した第２のサブ電極を含み、前記第１のサブ電極及び前記第２のサブ電極は、いずれも互いに繋がった複数のグリッドを含み、前記グリッドは、交差した複数の導電線によって形成され、
前記架橋パターンと前記導電性グリッド層とは、異なる層に設置され、同一の前記第２のタッチ電極に属する隣り合う前記第２のサブ電極は、前記架橋パターンにより接続される、タッチモジュール。
【請求項２】
互いに交差して設置された前記第１のタッチ電極及び前記第２のタッチ電極のうち、位置が隣り合う前記第１のサブ電極と前記第２のサブ電極との境界線上のグリッドの導電線が分断されることにより、互いに交差して設置された前記第１のタッチ電極と前記第２のタッチ電極とが絶縁され、位置が隣り合う第１のサブ電極と前記第２のサブ電極との境界線は、境界線上に位置するグリッドの分断点を結んで形成される、請求項１に記載のタッチモジュール。
【請求項３】
位置が隣り合う前記第１のサブ電極と前記第２のサブ電極との境界線は、折れ線として形成される、請求項２に記載のタッチモジュール。
【請求項４】
前記境界線の延在方向と前記第１のタッチ電極の延在方向、前記境界線の延在方向と前記第２のタッチ電極の延在方向は、いずれも交わる、請求項２に記載のタッチモジュール。
【請求項５】
前記架橋パターンは、少なくとも１つのグリッドパターンを含み、各グリッドパターンは、互いに繋がった複数のグリッドを含み、前記架橋パターン上のグリッドパターンが存在する領域の前記ベース基板上への正射影は、前記導電性グリッド層上の一部のグリッドの前記ベース基板上への正射影と重なる、請求項１に記載のタッチモジュール。
【請求項６】
各前記架橋パターンは、複数のコンタクトホールを介して前記第２のサブ電極に接続され、かつ同一の前記架橋パターンに対応する複数のコンタクトホールは、グリッドを形成する導電線により接続される、請求項５に記載のタッチモジュール。
【請求項７】
前記複数のコンタクトホールの前記ベース基板上への正射影は、前記第２のサブ電極の前記ベース基板上への正射影と重なる、請求項６に記載のタッチモジュール。
【請求項８】
前記導電性グリッド層は、
前記第１のサブ電極及び／又は前記第２のサブ電極の内部に設置されたダミーパターンをさらに含み、前記第１のサブ電極及び／又は前記第２のサブ電極は、その内部に設置された前記ダミーパターンと絶縁される、請求項１に記載のタッチモジュール。
【請求項９】
各前記第１のサブ電極及び前記第２のサブ電極の内部には、いずれも少なくとも１つのダミーパターンが設置され、かつ各前記第１のサブ電極及び前記第２のサブ電極の内部に設置されたダミーパターンの形状、サイズ及び対応する位置は、いずれも略同じである、請求項８に記載のタッチモジュール。
【請求項１０】
前記第１のサブ電極及び前記第２のサブ電極は、略菱形であり、前記ダミーパターンの形状は、前記第１のサブ電極及び第２のサブ電極の形状と略同じである、請求項９に記載のタッチモジュール。
【請求項１１】
各前記第１のサブ電極及び第２のサブ電極は、２行２列に配列された４つのダミーパターンを含み、前記ダミーパターンの各辺は、サブ電極の各対応する辺と略平行である、請求項１０に記載のタッチモジュール。
【請求項１２】
前記ダミーパターンは、前記ダミーパターンが存在する領域の境界のグリッドの分断点を結んで形成される、請求項８に記載のタッチモジュール。
【請求項１３】
前記ダミーパターンは、互いに絶縁される、請求項１２に記載のタッチモジュール。
【請求項１４】
前記第１のタッチ電極のうちの隣り合う２つの第１のサブ電極は、前記隣り合う２つの第１のサブ電極と同層に設置された接続用のグリッドチャネルにより接続され、前記接続用のグリッドチャネルは、前記第２のタッチ電極と分断される、請求項１に記載のタッチモジュール。
【請求項１５】
前記第１のタッチ電極は、行方向に沿って配列して設置され、前記第２のタッチ電極は、列方向に沿って配列して設置される、請求項１に記載のタッチモジュール。
【請求項１６】
請求項１〜１５のいずれか一項に記載のタッチモジュールを含む、タッチ表示基板。
【請求項１７】
前記タッチ表示基板のベース基板と前記タッチモジュールのベース基板は、共通に使用されるものである、請求項１６に記載のタッチ表示基板。
【請求項１８】
前記ベース基板上への正射影が前記導電性グリッド層上のグリッドの前記ベース基板上への正射影の領域内に位置する複数のサブピクセルをさらに含む、請求項１６に記載のタッチ表示基板。
【請求項１９】
各前記グリッドは、１つの前記サブピクセルに対応し、前記グリッドの形状は、前記サブピクセルの形状と同じである、請求項１８に記載のタッチ表示基板。
【請求項２０】
各前記グリッドのサイズは、対応する前記サブピクセルの発光領域のサイズよりも大きい、請求項１９に記載のタッチ表示基板。
【請求項２１】
前記サブピクセルの発光領域の前記ベース基板上への正射影は、前記導電線の前記ベース基板上への正射影と重ならない、請求項２０に記載のタッチ表示基板。
【請求項２２】
前記タッチ表示基板は、フレキシブル有機発光ダイオードタッチ表示基板である、請求項１６に記載のタッチ表示基板。
【請求項２３】
請求項１６〜２２のいずれか一項に記載のタッチ表示基板を含む、タッチ表示装置。
【発明の詳細な説明】
【技術分野】
【０００１】
本願は、２０１８年７月２５日に提出された中国特許出願第２０１８１０８２５６４５．７号の優先権を主張するものであり、その全ての内容は参照により本願に組み込まれるものとする。
【０００２】
本開示は、タッチの技術分野に関し、特にタッチモジュール、タッチ表示基板及びタッチ表示装置に関する。
【背景技術】
【０００３】
表示装置には、導電性グリッドを用いてタッチ電極を製造してよいが、導電性グリッドがタッチ領域に均一に分布しないと、タッチモジュール全体の光透過率の不均一を招き、該タッチモジュールを有する表示装置の表示効果を低下させる。
【発明の概要】
【０００４】
本開示の実施例に係るタッチモジュールは、
ベース基板と、前記ベース基板に設置された導電性グリッド層及び架橋パターンと、を含み、
前記導電性グリッド層は、前記ベース基板のタッチ領域全体に張り巡らされ、前記導電性グリッド層は、複数の第１のタッチ電極及び複数の第２のタッチ電極を含み、前記第１のタッチ電極と前記第２のタッチ電極とは、交差して絶縁設置され、各前記第１のタッチ電極は、複数の接続された第１のサブ電極を含み、各前記第２のタッチ電極は、複数の独立した第２のサブ電極を含み、前記第１のサブ電極及び前記第２のサブ電極は、いずれも互いに繋がった複数のグリッドを含み、前記グリッドは、複数の交差した導電線によって形成され、
前記架橋パターンと前記導電性グリッド層とは、異なる層に設置され、同一の前記第２のタッチ電極に属する隣り合う前記第２のサブ電極は、前記架橋パターンにより接続される。
【０００５】
いくつかの実施例では、互いに交差して設置される前記第１のタッチ電極及び前記第２のタッチ電極のうち、位置が隣り合う前記第１のサブ電極と前記第２のサブ電極との境界線上のグリッドの導電線が分断されることにより、互いに交差して設置される前記第１のタッチ電極と前記第２のタッチ電極とが絶縁される。位置が隣り合う第１のサブ電極と前記第２のサブ電極との境界線は、境界線上に位置するグリッドの分断点を結んで形成される。
【０００６】
いくつかの実施例では、位置が隣り合う前記第１のサブ電極と前記第２のサブ電極との境界線は、折れ線として形成される。
【０００７】
いくつかの実施例では、前記境界線の延在方向と前記第１のタッチ電極の延在方向、前記境界線の延在方向と前記第２のタッチ電極の延在方向は、いずれも交わる。
【０００８】
いくつかの実施例では、前記架橋パターンは、少なくとも１つのグリッドパターンを含み、各グリッドパターンは、互いに繋がった複数のグリッドを含む、前記架橋パターンにおけるグリッドパターンが存在する領域の前記ベース基板上への正射影は、前記導電性グリッド層上の一部のグリッドの前記ベース基板上への正射影と重なる。
【０００９】
いくつかの実施例では、各前記架橋パターンは、複数のコンタクトホールを介して前記第２のサブ電極に接続され、かつ同一の前記架橋パターンに対応する複数のコンタクトホールは、グリッドを形成する導電線により接続される。
【００１０】
いくつかの実施例では、前記複数のコンタクトホールの前記ベース基板上への正射影は、前記第２のサブ電極の前記ベース基板上への正射影と重なる。
【００１１】
いくつかの実施例では、前記導電性グリッド層は、
前記第１のサブ電極及び／又は前記第２のサブ電極の内部に設置されたダミーパターンをさらに含み、前記第１のサブ電極及び／又は前記第２のサブ電極は、その内部に設置された前記ダミーパターンと絶縁される。
【００１２】
いくつかの実施例では、各前記第１のサブ電極及び前記第２のサブ電極の内部には、いずれも少なくとも１つのダミーパターンが設置され、かつ各前記第１のサブ電極及び前記第２のサブ電極の内部に設置されたダミーパターンの形状、サイズ及び対応する位置は、いずれも略同じである。
【００１３】
いくつかの実施例では、前記第１のサブ電極及び前記第２のサブ電極は、略菱形であり、前記ダミーパターンの形状は、前記第１のサブ電極及び第２のサブ電極の形状と略同じである。
【００１４】
いくつかの実施例では、各前記第１のサブ電極及び第２のサブ電極は、３行３列に配列された４つのダミーパターンを含み、前記ダミーパターンの各辺は、サブ電極の各対応する辺と略平行である。
【００１５】
いくつかの実施例では、前記ダミーパターンは、前記ダミーパターンが存在する領域の境界のグリッドの分断点を結んで形成される。
【００１６】
いくつかの実施例では、前記ダミーパターンは、互いに絶縁される。
【００１７】
いくつかの実施例では、前記第１のタッチ電極のうちの隣り合う２つの第１のサブ電極は、前記隣り合う２つの第１のサブ電極と同層に設置された接続用グリッドチャネルにより接続され、前記接続用グリッドチャネルは、前記第２のタッチ電極と分断される。
【００１８】
いくつかの実施例では、前記第１のタッチ電極は、行方向に沿って配列して設置され、前記第２のタッチ電極は、列方向に沿って配列して設置される。
【００１９】
本開示の実施例に係るタッチ表示基板は、上記タッチモジュールを含む。
【００２０】
いくつかの実施例では、前記タッチ表示基板のベース基板と前記タッチモジュールのベース基板は、共通に使用されるものである。
【００２１】
いくつかの実施例では、前記タッチ表示基板は、
前記ベース基板上への正射影が前記導電性グリッド層上のグリッドの前記ベース基板上への正射影の領域内に位置する複数のサブピクセルをさらに含む。
【００２２】
いくつかの実施例では、各前記グリッドは、１つの前記サブピクセルに対応し、前記グリッドの形状は、前記サブピクセルの形状と同じである。
【００２３】
いくつかの実施例では、各前記グリッドのサイズは、対応する前記サブピクセルの発光領域のサイズよりも大きい。
【００２４】
いくつかの実施例では、前記サブピクセルの発光領域の前記ベース基板上への正射影は、前記導電線の前記ベース基板上への正射影と重ならない。
【００２５】
いくつかの実施例では、前記タッチ表示基板は、フレキシブル有機発光ダイオードタッチ表示基板である。
【００２６】
本開示の実施例に係るタッチ表示装置は、上記タッチ表示基板を含む。
【図面の簡単な説明】
【００２７】
本開示の実施例の技術手段をより明確に説明するために、以下、本開示の実施例の説明に必要な図面を簡単に説明し、明らかに、以下に説明される図面は、本開示のいくつかの実施例に過ぎず、当業者であれば、創造的な労力をすることなく、これらの図面に基づいて他の図面を取得することができる。
【００２８】
【図１】図１は、本開示のいくつかの実施例に係るタッチモジュールの概略構成図である。
【図２】図２は、本開示のいくつかの実施例に係る導電性グリッド層の概略構成図である。
【図３】図３は、本開示のいくつかの実施例に係る導電性グリッド層の概略構成図である。
【図４】図４は、本開示のいくつかの実施例に係る導電性グリッド層の概略構成図である。
【図５】図５は、本開示のいくつかの実施例に係る導電性グリッド層の概略構成図である。
【図６】図６は、本開示のいくつかの実施例に係る第１のサブ電極と第２のサブ電極との境界線の概略図である。
【図７】図７は、本開示のいくつかの実施例に係る２つの隣り合う第２のサブ電極の概略図である。
【図８】図８は、本開示のいくつかの実施例に係る架橋パターンの概略図である。
【図９】図９は、本開示のいくつかの実施例に係る架橋パターンの概略図である。
【図１０】図１０は、本開示のいくつかの実施例に係る架橋パターンの概略図である。
【図１１】図１１は、本開示のいくつかの実施例に係る架橋パターンの概略図である。
【図１２】図１２は、本開示のいくつかの実施例に係る架橋パターンの概略図である。
【図１３】図１３は、本開示のいくつかの実施例に係る架橋パターンの概略図である。
【図１４】図１４は、本開示のいくつかの実施例に係る架橋パターンの概略図である。
【図１５】図１５は、本開示のいくつかの実施例に係るダミー電極の概略図である。
【図１６】図１６は、本開示のいくつかの実施例に係るタッチモジュールの概略構成図である。
【図１７】図１７は、本開示のいくつかの実施例に係るタッチ表示基板の概略構成図である。
【図１８】図１８は、本開示のいくつかの実施例に係るタッチ表示基板上のサブピクセルと導電性グリッド層との位置関係の概略図である。
【図１９】図１９は、本開示のいくつかの実施例に係るタッチモジュールの概略構成図である。
【発明を実施するための形態】
【００２９】
本開示の実施例の目的、技術手段及び利点をより明確にするために、以下、本開示の実施例に係る図面を参照しながら、本開示の実施例に係る技術手段を明確、かつ完全的に説明する。明らかに、説明される実施例は、本開示の実施例の一部であり、全ての実施例ではない。説明される本開示の実施例に基づいて、当業者が得る他の全ての実施例は、いずれも本開示の保護範囲に属するものである。
【００３０】
図１を参照して、本開示のいくつかの実施例に係るタッチモジュールは、ベース基板と、前記ベース基板に設置された導電性グリッド層及び架橋パターン１１と、を含む。
【００３１】
前記導電性グリッド層は、前記ベース基板のタッチ領域全体に張り巡らされ（例えば、図１９に示すように、導電性グリッド層は、ベース基板２０のタッチ領域２２全体に張り巡らされる）、前記導電性グリッド層は、複数の第１のタッチ電極１０１及び複数の第２のタッチ電極１０２を含み、前記第１のタッチ電極１０１と前記第２のタッチ電極１０２とは、交差して絶縁設置され、各前記第１のタッチ電極１０１は、複数の接続された第１のサブ電極１０１１を含み、各前記第２のタッチ電極１０２は、複数の独立した第２のサブ電極１０２１を含み、前記第１のサブ電極１０１１及び前記第２のサブ電極１０２１は、いずれも互いに繋がった複数のグリッドを含み、前記グリッドは、複数の導電線によって形成される。いくつかの実施形態では、複数のグリッドは、サイズが同じであり、かつアレイ状に配置されている。
【００３２】
前記架橋パターン１１（図１中の線が太いグリッドパターン）と前記導電性グリッド層とは、異なる層に設置され、同一の前記第２のタッチ電極１０２に属する隣り合う前記第２のサブ電極１０２１を接続する。
【００３３】
本開示の実施例では、タッチ電極が導電性グリッド層で製造され、かつ導電性グリッド層が前記ベース基板のタッチ領域全体に張り巡らされるため、タッチモジュール全体の光透過率の一致性を保証し、該タッチモジュールを有する表示装置の表示効果を向上させることができる。
【００３４】
本開示の実施例では、いくつかの実施例では、前記導電性グリッド層は、金属材料で製造される。ＩＴＯ材料と比較して、金属材料がより良好な延性を有し、かつ破断しにくいため、金属グリッドを用いてタッチ電極を製造する場合、タッチモジュールの折り曲げ可能性を向上させることにより、タッチモジュールがフレキシブル表示装置に適用することができる。
【００３５】
本開示の実施例では、前記導電性グリッド層は、フォトリソグラフィプロセスで形成できる。
【００３６】
図１に示す実施例では、前記第１のサブ電極１０１１及び前記第２のサブ電極１０２１は、それぞれ略菱形である。もちろん、本開示の他のいくつかの実施例では、第１のサブ電極１０１１及び第２のサブ電極１０２１は、他の形状であってよい。例えば、前記第１のサブ電極１０１１及び前記第２のサブ電極１０２１は、それぞれ略長方形であり、或いは前記第１のサブ電極１０１１及び前記第２のサブ電極１０２１は、それぞれ略正方形である。
【００３７】
図２を併せて参照して、本開示の実施例におけるグリッドは、六角形である。もちろん、本開示の他のいくつかの実施例では、グリッドは、例えば、図３に示すように、菱形であってもよく、或いは図４及び図５に示すように、他の形状であってもよい。いくつかの実施例では、グリッドの形状は、本開示の実施例に係るタッチモジュールが適用される表示装置上のサブピクセルの形状と同じであることにより、表示装置の開口率を可能な限り大きくすることができる。
【００３８】
図６を参照して、本開示のいくつかの実施例では、互いに交差して設置された第１のタッチ電極及び第２のタッチ電極のうち、位置が隣り合う前記第１のサブ電極１０１１と前記第２のサブ電極１０２１との境界線１０３上のグリッドの導電線が分断されることにより、前記第１のタッチ電極１０１と前記第２のタッチ電極１０２とが絶縁される。位置が隣り合う第１のサブ電極１０１１と前記第２のサブ電極１０２１との境界線１０３は、境界線上に位置するグリッドの分断点を結んで形成される。
【００３９】
このような構造では、隣り合う第１のタッチ電極１０１と第２のタッチ電極１０２との間に空白領域が存在せず、いずれもグリッドが張り巡らされることにより、タッチモジュール全体の光透過率の一致性を保証し、該タッチモジュールを有する表示装置の表示効果を向上させることができる。
【００４０】
本開示の実施例では、いくつかの実施例では、図６を参照して、位置が隣り合う前記第１のサブ電極１０１１と前記第２のサブ電極１０２１との境界線は、折れ線として形成される。折れ線形状の境界線は、第１のタッチ電極１０１と第２のタッチ電極１０２との境界線の長さを長くすることにより、第１のタッチ電極１０１と第２のタッチ電極１０２との間の対向面積を大きくして、第１のタッチ電極と第２のタッチ電極との間の結合容量を増加させ、タッチ時の容量変化量を向上させ、タッチ性能を向上させることができる。
【００４１】
図１に示す実施例では、第１のタッチ電極１０１の延在方向は、行方向（図１中の矢印Ａ１で示す方向）であり、第２のタッチ電極１０２の延在方向は、列方向（図１中の矢印Ａ２で示す方向）である。もちろん、本開示の他のいくつかの実施例では、第１のタッチ電極１０１の延在方向は、列方向で、第２のタッチ電極１０２の延在方向は、行方向であってもよい。
【００４２】
図１に示す実施例では、第１のタッチ電極１０１の隣り合う２つの第１のサブ電極１０１１は、隣り合う２つの第１のサブ電極１０１１と同層に設置された接続用のグリッドチャネルにより接続され、第２のタッチ電極１０２の隣り合う２つの第２のサブ電極１０２１は、隣り合う２つの第２のサブ電極１０２１が存在する同一の層において接続されていない。図７を併せて参照して、図７は、図１中の破線ボックス内のグリッドの拡大概略図である。図７から分かるように、第１のタッチ電極１０１の隣り合う２つの第１のサブ電極１０１１は、隣り合う２つの第１のサブ電極１０１１と同層に設置された接続用のグリッドチャネル１０１２により接続され、また、第２のタッチ電極１０２の隣り合う２つの第２のサブ電極１０２１は、隣り合う２つの第２のサブ電極１０２１が存在する同一の層において接続されず、かつ第１のタッチ電極１０１の接続用のグリッドチャネル１０１２と分断される。第２のタッチ電極１０２の隣り合う２つの第２のサブ電極１０２１は、隣り合う２つの第２のサブ電極１０２１と異なる層に設置された架橋パターン１１により接続される。
【００４３】
図８〜図１４を参照して、本開示の実施例では、前記架橋パターン１１は、少なくとも１つのグリッドパターンを含み、各グリッドパターンは、互いに繋がった複数のグリッドを含む。前記架橋パターン１１上のグリッドパターンが存在する領域の前記ベース基板上への正射影は、前記導電性グリッド層上の一部のグリッドの前記ベース基板上への正射影と重なることにより、タッチモジュールの光透過率に影響を与えない。ここで、説明すべきものとして、前記架橋パターン１１上のグリッドパターンが存在する領域は、互いに交差して前記グリッドを形成する導電線及びグリッドの内部の空白領域を含む。
【００４４】
本開示の実施例では、隣り合い、かつ互いに接続された一対の第２のサブ電極１０２１は、１つの架橋パターン１１に対応し、いくつかの実施例では、図８〜図１４を参照して、各前記架橋パターン１１は、複数（少なくとも３つ）のコンタクトホール１２を介して前記第２のサブ電極１０２１に接続される。いくつかの実施例では、図８〜図１１及び図１３を参照して、同一の前記架橋パターンに対応する複数のコンタクトホール１２は、グリッドを形成する導電線により接続される。本開示の実施例では、１つの架橋パターンは、１つのグリッドパターンを含んでよく、図８〜図１１及び図１３を参照して、この場合、同一の前記架橋パターンに属する複数のコンタクトホール１２は、グリッドを形成する導電線により接続される。もちろん、１つの架橋パターンは、複数のグリッドパターンを含んでもよく、図１２及び図１４に示すように、同一のグリッドパターンに属する複数のコンタクトホール１２は、グリッドを形成する導電線により接続される。本開示の実施例では、前記架橋パターン１１は、複数のコンタクトホール１２を介して前記第２のサブ電極１０２１に接続され、かつ同一の架橋パターン１１又は同一の架橋パターン１１の同一のグリッドパターンに属する複数のコンタクトホール１２は、グリッドを形成する導電線により接続される。これによって、個別のコンタクトホール１２又はグリッドパターンが製造過程で不良であっても、全体のタッチ性能に影響を与えない。
【００４５】
本開示の実施例では、図１、図１５及び図１６を参照して、前記導電性グリッド層は、前記第１のサブ電極１０１１及び／又は前記第２のサブ電極１０２１の内部に設置されたダミー（ｄｕｍｍｙ）パターン１３をさらに含み、前記パターン１３は、それが存在する領域のサブ電極（第１のサブ電極１０１１又は第２のサブ電極１０２１）と絶縁され、即ち、ダミーパターン１３は、それが存在する領域のサブ電極の境界領域（図１５中の破線ブロック）のグリッドの導電線と分断される。本開示の実施例では、前記ダミーパターン１３は、菱形、五角星形などの様々な形状であってよい。いくつかの実施例では、各サブ電極には、いずれもダミーパターン１３が含まれ、かつ各サブ電極上のダミーパターン１３の数は、１つであってもよいし、複数であってもよい。いくつかの実施例では、各前記第１のサブ電極及び前記第２のサブ電極の内部には、いずれも少なくとも１つのダミーパターンが設置され、かつ各前記第１のサブ電極及び前記第２のサブ電極の内部に設置されたダミーパターンの形状、サイズ及び対応する位置は、いずれも同じである。ここで説明される対応する位置とは、サブ電極（第１のサブ電極及び第２のサブ電極）領域におけるダミーパターンの相対位置を指す。いくつかの実施例では、前記第１のサブ電極及び前記第２のサブ電極は、略菱形であり、前記ダミーパターンの形状は、前記第１のサブ電極及び第２のサブ電極の形状と同じである。いくつかの実施例では、各前記第１のサブ電極及び第２のサブ電極は、２行２列に配列された４つのダミーパターンを含み、前記ダミーパターンの各辺は、サブ電極の各対応する辺と平行である。
【００４６】
本開示の実施例では、サブ電極内にダミーパターン１３を分割することで、タッチ電極の面積を少なくし、タッチ電極の容量値を最適化すると共に、ダミーパターン１３が、それが存在する領域のサブ電極におけるグリッドの分断点を結んで形成されるため、タッチモジュール全体の光透過率の一致性を保証し、該タッチモジュールを有する表示装置の表示効果を向上させることができる。
【００４７】
本開示の実施例におけるタッチモジュールは、独立して製造でき、製造が完了した後に表示基板に貼り付けることができる。
【００４８】
本開示の他のいくつかの実施例では、タッチモジュールは、表示基板上に集積されてよい。
【００４９】
本開示に係るタッチ表示基板は、上記いずれかの実施例におけるタッチモジュールを含む。
【００５０】
本開示の実施例では、タッチ電極が導電性グリッド層で製造され、かつ導電性グリッド層が前記ベース基板のタッチ領域全体に張り巡らされているため、タッチ表示基板全体の光透過率の一致性を保証し、該タッチ表示基板を有する表示装置の表示効果を向上させることができる。
【００５１】
本開示の実施例では、いくつかの実施例では、導電性グリッド層は、金属材料で製造され、タッチ電極は、金属グリッドで製造され、ＩＴＯ材料と比較して、金属材料がより良好な延性を有し、かつ破断しにくいため、金属グリッドを用いてタッチ電極を製造する場合、タッチ表示基板の折り曲げ可能性を向上させることにより、タッチ表示基板がフレキシブル表示装置に適用することができる。
【００５２】
いくつかの実施例では、前記タッチ表示基板のベース基板と前記タッチモジュールのベース基板は、共通に使用されるものである。
【００５３】
本開示の実施例では、タッチモジュールを表示基板上に集積し、従来のアウトセル型のタッチスクリーンを除去して、該タッチ表示基板を有するタッチ表示装置の厚さを低減することができ、超薄型表示を実現することに役立つ。また、タッチモジュールと表示基板とが１枚のベース基板を共通に使用して、１枚のベース基板を減らし、厚さを薄くすると共に、出光効果を向上させることができる。
【００５４】
本開示の実施例におけるタッチ表示基板は、液晶表示装置に適用される表示基板であってもよいし、有機発光ダイオード表示装置に適用される表示基板であってもよいし、他のタイプの表示装置に適用される表示基板であってもよい。タッチ表示基板が液晶表示装置に適用される表示基板である場合、前記表示基板は、カラーフィルム基板であってよく、タッチモジュールにおける導電性グリッド層は、カラーフィルム基板のベース基板の出光側に設置されてよい。タッチ表示基板が有機発光ダイオード表示装置に適用される表示基板である場合、タッチモジュールにおける導電性グリッド層は、有機発光ダイオードに設置された封止層の上に位置してよい。
【００５５】
図１７を参照して、図１７は、本開示の一実施例に係るタッチ表示基板の概略構成図であり、該タッチ表示基板は、ベース基板２０と、ベース基板２０に設置された発光ダイオード素子３０と、発光ダイオード素子を封止する薄膜封止層４０と、薄膜封止層４０に設置された導電性グリッド層１０と、を含む。導電性グリッド層１０の構造について、上記実施例におけるタッチモジュールにおける導電性グリッド層を参照されたく、ここで繰り返して説明しない。
【００５６】
本開示の実施例では、いくつかの実施例では、前記ベース基板２０は、フレキシブル基板であることにより、フレキシブル表示装置に適用することができる。
【００５７】
本開示の実施例におけるタッチ表示基板は、前記ベース基板上への正射影が前記導電性グリッド層上のグリッドの前記ベース基板上への正射影の領域内に位置する複数のサブピクセルをさらに含み、モアレ干渉縞の出現が回避されることにより、正常な表示に影響を与えない。
【００５８】
いくつかの実施例では、各前記グリッドは、１つの前記サブピクセルに対応し、前記グリッドパターンの形状は、前記サブピクセルの形状と同じである。
【００５９】
図１８を参照して、図１８に示す実施例では、タッチ表示基板は、３色のサブピクセルを含み、それぞれ赤色サブピクセル（Ｒ）、緑色サブピクセル（Ｇ）及び青色サブピクセル（Ｂ）であり、サブピクセルの形状は、グリッドの形状と同じであり、いずれも六角形であり、サブピクセルの前記ベース基板上への正射影は、グリッドのベース基板上への正射影の領域内に位置する。ここで、説明すべきものとして、サブピクセルは、発光領域と非発光領域（駆動構造が存在する領域）を含み、ここで、サブピクセルの前記ベース基板上への正射影がグリッドのベース基板上への正射影の領域内に位置することは、サブピクセルの発光領域のベース基板上への正射影がグリッドの内部の空白箇所のベース基板上への正射影の領域内に位置し、かつサブピクセルの発光領域の前記ベース基板上への正射影が導電線のベース基板上への正射影と重ならないことを指す。
【００６０】
本開示の実施例に係るタッチ表示装置は、上記いずれかの実施例におけるタッチ表示基板を含む。
【００６１】
別途に定義しない限り、本開示で使用される技術用語又は科学用語は、本開示が属する分野の当業者に理解される通常の意味を有する。本開示で使用される「第１」、「第２」及び類似する語は、如何なる順序、数又は重要度を示すものではなく、異なる構成要素を区別するためのものにすぎない。「接続」又は「繋がる」などの類似する語は、物理的又は機械的な接続に限定されるものではなく、直接的又は間接的にもかかわらず電気的な接続を含んでよい。「上」、「下」、「左」、「右」などは、相対位置関係のみを示すものであり、説明される対象の絶対位置が変化すると、該相対位置関係も対応して変化する可能性がある。
【００６２】
以上の説明は、本開示の好ましい実施形態であり、なお、当業者であれば、本開示の上記原理から逸脱しない前提でいくつかの改良と修飾を行ってよく、これらの改良と修飾も本開示の保護範囲にあるものと見なすべきである。
【図１】
2021531538.tif 000003
【図２】
2021531538.tif 000004
【図３】
2021531538.tif 000005
【図４】
2021531538.tif 000006
【図５】
2021531538.tif 000007
【図６】
2021531538.tif 000008
【図７】
2021531538.tif 000009
【図８】
2021531538.tif 000010
【図９】
2021531538.tif 000011
【図１０】
2021531538.tif 000012
【図１１】
2021531538.tif 000013
【図１２】
2021531538.tif 000014
【図１３】
2021531538.tif 000015
【図１４】
2021531538.tif 000016
【図１５】
2021531538.tif 000017
【図１６】
2021531538.tif 000018
【図１７】
2021531538.tif 000019
【図１８】
2021531538.tif 000020
【図１９】
2021531538.tif 000021
【国際調査報告】
2021531538.tif 000022
2021531538.tif 000023
2021531538.tif 000024
2021531538.tif 000025